(57)【要約】【課題】裏面に異なる絵柄を直接印刷したレンチキュラーレンズを真空成形で立体状に成形することにより、そのレンチキュラーレンズの利用範囲が広がり、新たなレンチキュラーレンズの展開を図ることができる三次元レンチキュラーを提供すること。【解決手段】以下の要件を備えることを特徴とする三次元レンチキュラー。（イ）レンチキュラーレンズ１０の裏面に異なる絵柄が印刷された印刷層２０が形成されていること（ロ）上記印刷層２０が形成されたレンチキュラーレンズ１０を真空成形で所定の形状に成形したこと【選択図】図１
2005131261.tif 000002
【特許請求の範囲】
【請求項１】
以下の要件を備えることを特徴とする三次元レンチキュラー。
（イ）レンチキュラーレンズの裏面に異なる絵柄が印刷された印刷層が形成されていること
（ロ）上記印刷層が形成されたレンチキュラーレンズを真空成形で三次元成形したこと
【請求項２】
以下の要件を備えることを特徴とする三次元レンチキュラーを備えた玩具体。
（イ）レンチキュラーレンズの裏面に異なる絵柄が印刷された印刷層が形成されていること
（ロ）上記印刷層が形成されたレンチキュラーレンズを真空成形で玩具体の一部の形状と同一形状に成形し、該成形したレンチキュラーレンズを上記玩具体の一部の表面に貼り付けたこと
【請求項３】
前記成形したレンチキュラーレンズを取着する玩具体の一部が人形体の顔部である、請求項２記載の三次元レンチキュラーを備えた玩具体
【発明の詳細な説明】
【技術分野】
【０００１】
本発明は、三次元レンチキュラー及び三次元レンチキュラーを備えた玩具体に関するものである。
【背景技術】
【０００２】
従来、レンチキュラーレンズを利用することにより同一のカードでありながら見る角度によって、そのカードに描かれた絵柄が変わって見えるようにする技術が開示されている（例えば、特許文献１）。
【０００３】
このカードは、複数の絵柄を印刷したシートの上にレンチキュラーレンズを貼り付けたもので、見る角度によってこのレンチキュラーレンズを通して見える部分と見えない部分とがあることを利用し、複数の絵柄を見ることができるようにしたものである。
【特許文献１】登録実用新案第３０５０４７０号公報
【発明の開示】
【発明が解決しようとする課題】
【０００４】
本発明が解決しようとする問題点は、上述のレンチキュラーレンズは平板状であるため、利用範囲がカードや絵などに限定される点であった。
【０００５】
本発明は、上記問題点を解決し、裏面に異なる絵柄を直接印刷したレンチキュラーレンズを真空成形で立体状に成形することにより、そのレンチキュラーレンズの利用範囲が広がり、新たなレンチキュラーレンズの展開を図ることができる三次元レンチキュラーを提供することを課題とする。
【課題を解決するための手段】
【０００６】
前記課題を解決するために本発明に係る三次元レンチキュラーは、以下の要件を備えることを特徴とする。
（イ）レンチキュラーレンズの裏面に異なる絵柄が印刷されていること
（ロ）上記絵柄が印刷されたレンチキュラーレンズを真空成形で三次元状に成形したこと
【０００７】
また、三次元レンチキュラーを備えた玩具体は、以下の要件を備えることを特徴とする。
（イ）板状のレンチキュラーレンズの裏面に異なる絵柄が印刷されていること
（ロ）上記絵柄が印刷されたレンチキュラーレンズを真空成形で玩具体の一部の形状と同一形状に成形し、成形したレンチキュラーレンズを上記玩具体の一部の表面に貼り付けたこと
【０００８】
なお、前記変形させたレンチキュラーレンズを取着する玩具体の一部が人形体の顔部であり、見る角度によって人形体の顔の表情が変化して見えるようにしてもよい。
【発明の効果】
【０００９】
請求項１の発明によれば、レンチキュラーレンズの裏面に直接絵柄を印刷したので三次元状に成形ができるとともに、平面的ではない絵柄の変化を楽しむことができる。
【００１０】
請求項２の発明によれば、レンチキュラーレンズの裏面に直接絵柄を印刷し、玩具体の一部の形状に合わせて成形し、成形品を玩具体の一部に貼り付けることにより玩具体の一部の見え方を変えることができ、従来にない視覚上の変化を楽しむことができる玩具体を実現することができる。
【００１１】
請求項３の発明によれば、レンチキュラーレンズを人形体の顔部の形に成形し、人形体の顔部に貼り付けることにより、見る角度によって人形体の顔の表情が変化して見ることができる。
【発明を実施するための最良の形態】
【００１２】
レンチキュラーレンズの裏面に異なる絵柄を印刷し、上記絵柄が印刷されたレンチキュラーレンズを真空成形で三次元状に成形した。
【実施例１】
【００１３】
図１は、本発明に係る三次元レンチキュラーの一例を示し、この三次元レンチキュラー（以下、レンズシートという）１は人形玩具２の顔部３に被せることができるようにお面状に成形されたもので、このお面状のレンズシート１を人形玩具２の顔部３に被せることにより人形玩具２の表情が変わって見えたり、別人に見えたりする効果が得られるようにしたものである。
【００１４】
このレンズシート１は、図２（ａ）に示すように、レンチキュラーレンズ１０と印刷層２０とから構成されたもので、レンチキュラーレンズ１０はポリエチレンテレフタレートなどの透明な樹脂で上面がカマボコ状に形成された棒状のレンズ１１を多数並接してシート状に形成したもので、図２（ｂ）に示すように、見る角度によって印刷層２０に印刷された複数組の絵柄情報ａ、ｂを選択的に見ることができるようになっているものである。
【００１５】
印刷層２０は、図２（ａ）に示すように、上記レンチキュラーレンズ１０の裏面に直接印刷形成されたもので、一組の絵柄情報ａ１、ａ２ａ、３ａ、ａ４、・・と、一組の絵柄情報ｂ１、ｂ２、ｂ３、ｂ４、・・の２組の絵柄情報から構成されているものである。この印刷層２０は２組に限定されるものではなく、３組以上の絵柄情報で構成されていてもよい。
【００１６】
なお、印刷層２０を保護する保護層を印刷層２０に重ねて印刷しても構わないし、レンチキュラーレンズ１０と同じ素材のシートを保護層としてレンチキュラーレンズ１０の裏面（印刷層２０の上）に貼り付けても構わない。このことにより、真空成形の際や他の物品に貼り付けたりする際に印刷が剥がれるトラブルを防止できる。
【００１７】
上記印刷層２０が形成されたレンズシート１は、図示しない加熱手段で加熱して軟化させた後、図３（ａ）に示すように、雌型の型台３０の上に載せ、周囲を固定部材３１で固定し、図３（ｂ）に示すように、吸気口３２からエアを吸引し、型台３０とレンズシート１との間隙を真空にしてレンズシート１を型の表面に密着させてレンズシート１を三次元状に成形し、冷却して成形品の形状を固定する。その後、図３（ｃ）に示すように、固定部材３１による固定を解除してレンズシート１を型台３０から取り外せばよい。この時、吸気口３２から逆にエアを吹き込んでレンズシート１の型台３０からの取り外しを容易にすればよい。
【００１８】
型台３０から外したレンズシート１は、周囲の起立辺１ｂを切除し、立体部１ａを残してフレーム３５に納めることによりデスマスクのような壁掛けを形成することができるし（図４参照）、周囲を除去して立体部１ａのみを残してお面状にし、お面状にしたレンズシート１を、図１に示すように、人形玩具２の顔部３に貼り付けるようにしてもよい。
【００１９】
レンズシート１を人形玩具２の顔部３に貼り付けた場合は、図５（ａ）（ｂ）に示すように、見る角度によって顔の表情が変わったり、別人の顔になったりするので同じ人形玩具２でありながら様々な表情に変化させることができる。
【００２０】
なお、上記レンズシートは印刷層に人形玩具の顔を絵柄情報として印刷したものであるが、このレンズシートは人形玩具の顔部に貼り付けるものに限定されず、例えばロボット玩具の胴体部に貼付け、見る角度によってロボットの内部構造を描いた絵柄が見えるようにしてもよく、三次元レンチキュラーの利用範囲は貼り付ける対象物によって際限なく視覚的効果を得られるものである。
【図面の簡単な説明】
【００２１】
【図１】本発明に係る三次元レンチキュラーの一例を示す斜視図
【図２】（ａ）（ｂ）はレンチキュラーの構造及び原理を説明する断面図
【図３】（ａ）〜（ｃ）レンズシートの三次元成形過程の説明図
【図４】三次元レンチキュラーシートの一例を説明する斜視図
【図５】（ａ）（ｂ）は三次元レンチキュラーを適用した玩具を説明する斜視図
【符号の説明】
【００２２】
１    三次元レンチキュラー
２    人形玩具
３    顔部
１０    レンチキュラーレンズ
２０    印刷層
【図１】
2005131261.tif 000003
【図２】
2005131261.tif 000004
【図３】
2005131261.tif 000005
【図４】
2005131261.tif 000006
【図５】
2005131261.tif 000007